(57)【要約】【課題】精巣の冷却効果に優れ、簡易な構成の冷却マットを提供する。【解決手段】冷却マット１を、人Ｏが着座する座面１０と、この座面１０を支持する枠本体２０とを備えて構成する。枠本体２０は、上枠２１と、この上枠２１の下方に所定間隔を介して配置された下枠２２と、上枠２１及び下枠２２を連結する連結部２３とから構成される。座面１０は、枠本体２０の上枠２１に張られたメッシュ材Ｍから構成される。座面１０と下枠２１との間に、座面１０に向けて開口する凹部３０が設けられている。【選択図】図１
2020081077.tif 000002
【特許請求の範囲】
【請求項１】
人が着座する座面と、
前記座面を支持する枠本体と、を備え、
前記枠本体は、上枠と、前記上枠の下方に所定間隔を介して配置された下枠と、前記上枠及び前記下枠を連結する連結部と、から構成され、
前記座面は、前記枠本体の前記上枠に張られたメッシュ材から構成され、
前記座面と前記下枠との間に、前記座面に向けて開口する凹部が設けられていることを特徴とする冷却マット。
【請求項２】
前記上枠は、太腿が配置される前方の略中央が、臀部が配置される後方に向かって凹設されて凹設部を有する平面視凹形であり、前記凹設部以外に前記メッシュ材が張られており、前記メッシュ材が張られていない前記凹設部を前記凹部の開口部としたことを特徴とする請求項１に記載の冷却マット。
【請求項３】
前記枠本体は、太腿が配置される前方が、臀部が配置される後方よりも高く構成され、前記枠本体に支持される前記座面は、前方から後方に向かって次第に低くなるように傾斜した構成であることを特徴とする請求項１又は２に記載の冷却マット。
【請求項４】
前記凹部内に、送風部材又は保冷剤を収容する収容部を設けたことを特徴とする請求項１〜３のいずれか一項に記載の冷却マット。
【請求項５】
椅子、その他の被載置部に固定するための固定部材を備えたことを特徴とする請求項１〜４のいずれか一項に記載の冷却マット。
【発明の詳細な説明】
【技術分野】
【０００１】
本発明は、冷却マットに関する。
【背景技術】
【０００２】
長時間座った状態を続けると、精巣の温度が上昇して、精子濃度が減ったり、精子運動率が悪くなったり、形態不良精子が増えたりして、精子の形成に影響するおそれがあることが知られている。そのため、下半身に熱がこもらないように，適度に立ち上がることが望ましい。また、熱中症対策においても、下肢内股の静脈を冷却することで、体温を低下できることが知られている。
【０００３】
しかしながら、長距離を運転するドライバや車椅子生活者等は、頻繁に立ち上がることは困難である。また、昨今のコンピュータや電子ゲーム等の普及により、オフィスや家庭でも、着座姿勢での仕事や生活の時間が増えてきている。
【０００４】
ところで、椅子等の着座装置に敷いて使用される冷却マットであって、ファン等の送風手段を用いて、マット内部の空気流通路内に空気を流通させることで、人体を冷却する冷却マットが開発されている（例えば、特許文献１、２参照）。このような冷却マットに着座することで、太腿の裏側や背中を冷却することが可能である。
【先行技術文献】
【特許文献】
【０００５】
【特許文献１】特許第６１５６７８３号公報
【特許文献２】特開２０１２−２２９８８７号公報
【発明の概要】
【発明が解決しようとする課題】
【０００６】
しかしながら、これら従来技術の冷却マットでは、着座したときに依然として陰嚢が太腿に挟まれた状態であるため、精巣の十分な冷却効果が得られ難い。また、空気流通路を確保すべく、特殊なスペーサを内装したり、マット本体も空気が漏れにくく透湿性を有する素材等を用いたりしているため、構造が複雑で高価なものとなっていた。
【０００７】
本発明は、上記の事情に鑑みて為されたもので、下肢内股、特に精巣の冷却効果に優れ、簡易な構成の冷却マットを提供することを可能とするものである。
【課題を解決するための手段】
【０００８】
上記の目的を達成するため、本発明に係る冷却マットは、人が着座する座面と、前記座面を支持する枠本体と、を備え、前記枠本体は、上枠と、前記上枠の下方に所定間隔を介して配置された下枠と、前記上枠及び前記下枠を連結する連結部と、から構成され、前記座面は、前記枠本体の前記上枠に張られたメッシュ材から構成され、前記座面と前記下枠との間に、前記座面に向けて開口する凹部が設けられていることを特徴とする。
【発明の効果】
【０００９】
本発明によれば、下肢内股、特に精巣の冷却効果に優れ、簡易な構成の冷却マットを提供することができる。
【図面の簡単な説明】
【００１０】
【図１】第１実施形態に係る冷却マットの使用状態を示す斜視図である。
【図２】第１実施形態に係る冷却マットを説明する図であって、（ａ）は上枠及び座面の平面図、（ｂ）は下枠の平面図、（ｃ）は冷却マットの側面図である。
【図３】第２実施形態に係る冷却マットの使用状態を示す斜視図である。
【図４】第２実施形態に係る冷却マットを説明する図であって、（ａ）は冷却マットの平面図、（ｂ）は冷却マットの側面図である。
【図５】第３実施形態に係る冷却マットを説明する図であって、凹部にファンユニットを取り付けた状態を示し、（ａ）は冷却マットの平面図、（ｂ）は冷却マットの側面図である。
【図６】第３実施形態に係る冷却マットの斜視図であって、凹部に保冷剤を収容した状態を示す。
【発明を実施するための形態】
【００１１】
（第１実施形態）
以下、第１実施形態に係る冷却マットについて、図１、図２を参照しながら説明する。図１は、第１実施形態に係る冷却マット１００の使用状態を示す斜視図である。図２（ａ）は冷却マット１００の上枠２１及び座面１０の平面図、図２（ｂ）は下枠２２の平面図、図２（ｃ）は冷却マット１００の側面図である。図１、図２に示すように、第１実施形態に係る冷却マット１００は、直方体形を呈し、人Ｏが着座する座面１０と、この座面１０を支持する枠本体２０と、を備えて構成される。
【００１２】
枠本体２０は、上枠２１と、この上枠２１の下方に所定間隔を介して配置された下枠２２と、上枠２１及び下枠２２を連結する複数の連結部２３と、から構成される。この枠本体２０の上枠２１の開口部分に、張材としてのメッシュシート（メッシュ材）Ｍが張られて座面１０を構成している。
【００１３】
この座面１０と下枠２２との間に、座面１０に向けて開口する凹部３０が設けられている。本実施形態及び後述する他の実施形態の冷却マット１００は、男女問わず使用できるが、特に男性が使用するのに好適であり、この場合、座面１０に着座すると、凹部３０には陰嚢Ｓが配置される。
【００１４】
図１では、本実施形態の冷却マット１００を、被載置部である椅子１の座部１ａに載置して使用した例を示しているが、車椅子２（図３参照）、自動車のシート等の被載置部に載置して使用することもできるし、床や畳等の被載置部に載置して使用することもできる。
【００１５】
本明細書では、図１に示すように、人Ｏが座面１０に着座したときに、太腿Ｔが配置される側、すなわち人Ｏの正面側を「前方Ｆ」とし、臀部Ｂが配置される側、すなわち人Ｏの背面側を「後方Ｒ」として、各構成部品について説明する。
【００１６】
座面１０を構成するメッシュシートＭは、十分な通気性を確保しつつ、人Ｏの体重を支えられるように、比較的目が粗く、耐荷重性に優れる素材を用いることが望ましい。また、人Ｏが着座した場合に、必要以上に沈み込まず、かつ適度な弾力性によって良好な座り心地が得られるように、適度な張力（テンション）で上枠２１に張り渡されている。
【００１７】
メッシュシートＭとしては、例えば、ポリエステル樹脂、カーボン樹脂（炭素繊維強化プラスチック）等の樹脂製メッシュ材が好適に用いられ、その他にも、ステンレス等の金属製メッシュ材、又は綿、絹等の天然繊維製のメッシュ材等を用いてもよく、使用目的、コスト、デザイン等によって適宜のメッシュ材を用いることができる。
【００１８】
上枠２１は、図２（ａ）に示すように、前方Ｆの略中央が、後方Ｒに向かって凹設されて凹設部２１ａが設けられており、平面視凹形を呈している。上枠２１には、凹設部２１ａ以外の開口部分にメッシュシートＭが張られており、メッシュシートＭが張られていない凹設部２１ａが、凹部３０の開口部３１となっている。この開口部３１と、座面１０及び下枠２２の間の空間部２４により、凹部３０が構成される。
【００１９】
下枠２２は、図２（ｂ）に示すように、上枠２１と同様に凹設部２２ａを有する平面視凹形を呈している。上枠２１と下枠２２を同じ形状とすることで、枠本体２０の製造の手間やコストを削減できる。また、本実施形態では、下枠２２には、線材からなる複数の補強材２２ｂが設けられ、下枠２２の強度や耐久性を高めている。
【００２０】
なお、図２（ｂ）の例では、左右方向に延在して補強材２２ｂを配置しているが、これに限定されるものではなく、補強材２２ｂを、前後方向に延在して配置してもよいし、前後及び左右方向に格子状に配置してもよい。また、十分な強度や耐久性が得られるのであれば、補強材２２ｂを設けなくてもよく、下枠２２をより簡易に構成できる。
【００２１】
連結部２３は、上枠２１と下枠２２とを連結する。この連結部２３がスペーサの役割を果たし、上枠２１と下枠２２との間に空間部２４が設けられ、優れた通気性を確保可能となっている。本実施形態では、上枠２１及び下枠２２の外周の４つの角部と、凹設部２１ａ，２２ａの４つの角部を、合計８つの連結部２３で連結しているが、枠本体２０の耐荷重性等を高めるべく、連結部２３の本数を増やしてもよい。
【００２２】
枠本体２０は、金属製、樹脂製の線材や棒材から構成される。金属製の線材又は棒材としては、例えば、スチール製、ステンレス製、アルミ製等の線材又は棒材が好適に挙げられる。また、このような金属を樹脂で被覆した線材又は棒材も、優れた強度や錆防止効果が得られる点で好ましい。また、樹脂製の線材又は棒材としては、例えば、ポリエステル樹脂製、ポリカーボネート樹脂製、ＦＲＰ樹脂（繊維強化プラスチック）製等の線材又は棒材が好適に挙げられる。ＦＲＰ樹脂としては、例えば、カーボン樹脂等が好適に挙げられる。また、木材製の枠本体２０としてもよい。
【００２３】
本実施形態では、上枠２１、下枠２２及び連結部２３を同じ金属製の線材を用いて製作し、それぞれを溶接して連結している。これにより、強度や耐久性に優れ、かつ製造コスト等も低減可能な枠本体２０が得られる。
【００２４】
また、冷却マット１００のサイズとしては、人Ｏが着座して仕事や生活ができるサイズであれば、特に限定されるものではなく、常識的なサイズとすることができる。例えば、前後方向及び左右方向の長さ（縦、横のサイズ）を３５０ｍｍ〜４５０ｍｍの範囲とすることが好ましく、高さ（厚み）を１０ｍｍ〜１００ｍｍとすることが好ましいが、これに限定されるものではない。また、凹部３０の開口部３１（凹設部１１ａ）の前後方向の長さ（縦のサイズ）を１８０ｍｍ〜２２０ｍｍとし、左右方向の長さ（横のサイズ）を１３０ｍｍ〜１７０ｍｍとすることが好ましいが、これに限定されるものではない。
【００２５】
本実施形態では、図２の各図に示すように、冷却マット１００の縦、横のサイズをそれぞれ４００ｍｍとし、厚みを５０ｍｍとし、開口部３１の縦、横のサイズをそれぞれ２００ｍｍ、１５０ｍｍとしている。
【００２６】
上述のような構成の第１実施形態に係る冷却マット１００の使用例を説明する。図１に示すように、冷却マット１００をオフィス等の椅子１の座部１ａに、座面１０が上方を向き、凹部３０が前方Ｆに位置するように載置する。次に、人Ｏである男性が、凹部３０よりも後方Ｒに臀部Ｂが配置され、凹部３０の両側に太腿Ｔが配置されるように、座面１０に着座する。この着座により、陰嚢Ｓに対応して凹部３０が配置され、図２（ｃ）の側面図に示すように、陰嚢Ｓが下降し、凹部３０内であって太腿Ｔよりも低い位置に配置される。
【００２７】
以下、本実施形態の冷却マット１００の作用効果を説明する。本実施形態の冷却マット１００は、人Ｏが着座する座面と１０、座面１０を支持する枠本体２０と、を備える。枠本体２０は、上枠２１と、上枠２１の下方に所定間隔を介して配置された下枠２２と、上枠２１及び下枠２２を連結する連結部２３と、から構成される。座面１０は、枠本体２０の上枠２１に張られたメッシュシートＭから構成される。この座面１０と下枠２２との間に、座面１０に向けて開口する凹部３０が設けられている。
【００２８】
この構成により、上枠２１と下枠２２との間に空間部２４が設けられ、椅子１等の被載置部と、臀部Ｂ、太腿Ｔ等との間に優れた通気性を確保できる。また、メッシュシートＭにより、座面１０の通気性にも優れる。したがって、この冷却マット１００では、着座している人Ｏの太腿Ｔや臀部Ｂの蒸れ、温度上昇を効果的に抑制できる。
【００２９】
さらに、凹部３０を設けたことで、人Ｏが（具体的には男性が）座面１０に着座したときに、図２（ｃ）の側面図に示すように、陰嚢Ｓが凹部３０内であって、太腿Ｔよりも低い位置に配置される。そのため、陰嚢Ｓと太腿Ｔのそれぞれの通気性が向上し、着座状態を長時間持続した場合でも、精巣の温度上昇を抑制できる。また、下肢内股の静脈が外気によって冷却され、精巣の温度上昇の抑制効果が高まるだけでなく、体温の上昇も抑制できる。
【００３０】
したがって、本実施形態の冷却マット１００を使用することで、男性不妊症（ＯＡＴ症候群）の予防や改善に寄与できる。さらには、男女問わず熱中症対策にも貢献できる。特に、長時間、着座状態を維持せざるを得ない車椅子の使用者や、長距離ドライバ等が使用するのに好適である。
【００３１】
また、このように陰嚢の温度上昇や体温上昇の抑制効果に優れる冷却マット１００を、メッシュシートＭからなる座面１０と、枠本体２０とからなる簡易な構成とすることができる。したがって、下肢内股、特に精巣の冷却効果に優れ、簡易な構成の冷却マット１００を提供できる。その結果、製造コストや販売コストを低減できる。
【００３２】
また、上枠２１は、太腿Ｔが配置される前方Ｆの略中央が、臀部Ｂが配置される後方Ｒに向かって凹設されて凹設部２２ａを有する平面視凹形である。したがって、この凹設部２２ａ以外にメッシュシートＭを張るだけで、メッシュシートＭが張られていない凹設部２２ａを開口部３１とする凹部３０を、簡単に設けることができる。よって、冷却効果に優れる冷却マット１００を簡易な工程で製作することができ、生産性をより向上できる。
【００３３】
また、本実施形態の冷却マット１００では、凹部３０が前方Ｆに向かって開口し、かつ前後に長い形状を呈している。そのため、男性が着座した場合は、着座位置が前後方向で多少ずれても凹部３０内に確実に陰嚢Ｓを配置することができ、前後方向の着座位置の自由度が向上するとともに、前方Ｆでの陰嚢Ｓの上枠２１への引掛りや擦れを抑制できる。
【００３４】
（第２実施形態）
次に、第２実施形態の冷却マット１００Ａについて、図３、図４を参照しながら説明する。図３は、第２実施形態の冷却マット１００Ａの使用状態を示す斜視図であり、冷却マット１００Ａを車椅子２の座部２ａに載置した例を示している。図４（ａ）は冷却マット１００Ａの平面図、図４（ｂ）は冷却マット１００Ａの側面図である。
【００３５】
第２実施形態の冷却マット１００Ａは、座面１０が後方Ｒに向かって傾斜し、固定部材としての固定ベルト４０を設けたこと以外は、図１等に示す第１実施形態の冷却マット１００と同様の基本構成を備えている。そのため、第１実施形態と同様の構成については第１実施形態と同じ符号を付して、詳細な説明は省略する。以下では、第１実施形態と異なる構成について主に説明する。以降の実施形態でも同様である。
【００３６】
第２実施形態に係る冷却マット１００Ａは、第１実施形態と同様に、メッシュシートＭを有する座面１０と、上枠２１、下枠２２及び連結部２３を有する枠本体２０と、を備えて構成される。座面１０と下枠２２との間に、座面１０に向けて開口する凹部３０（例えば、男性が使用する場合は陰嚢Ｓを配置する凹部３０）が設けられている。この構成により、第２実施形態においても、下肢内股、特に精巣の冷却効果に優れ、簡易な構成の冷却マット１００Ａを提供できる。
【００３７】
第２実施形態では、連結部２３として、高さ（長さ）の異なる３種類の連結部２３ａ，２３ｂ，２３ｃを用い、上枠２１と下枠２２の前方Ｆを、最も高い連結部２３ａで連結し、凹設部２１ａ，２２ａの基端を中間の連結部２３ｂで連結し、後方Ｒを最も低い連結部２３ｂで連結している。これにより、車椅子２等に載置したときに、図４（ｂ）の側面図に示すように、枠本体２０は、太腿Ｔが配置される前方Ｆが、臀部Ｂが配置される後方Ｆよりも高く（厚く）なり、この枠本体２０に支持される座面１０は、前方Ｆから後方Ｒに向かって次第に低くなるように傾斜した構成となる。
【００３８】
この構成により、冷却マット１００Ａに長時間着座したり、多少動いたりした場合でも、人Ｏが前方Ｆにずり落ちるようなことがなく、着座時の安定性や座り心地をより向上させることができる。
【００３９】
また、第２実施形態の冷却マット１００Ａは、枠本体２０の両側に、２つの固定ベルト４０，４０を備えている。各固定ベルト４０は、下枠２２に固定された一対のベルト４１，４１と、一方のベルト４１の先端に取り付けられた係合部（タング）４２と、他方のベルト４１の先端に取り付けられて係合部４２を着脱自在に係合する係合受部（バックル）４３と、を備えている。
【００４０】
固定ベルト４０，４０を備えた第２実施形態の冷却マット１００Ａでは、図３に示すように、車椅子２に載置した状態で、座部２ａの下で２つの固定ベルト４０のそれぞれの係合部４２を係合受部４３に係合する。これにより、固定ベルト４０で冷却マット１００Ａを車椅子２に固定できる。そのため、冷却マット１００Ａが車椅子２から容易に脱落したり、ずれたりすることがなく、人Ｏが着座したときの安定性がよく、座り心地や使用性を向上できる。
【００４１】
なお、本実施形態では、図３に示すように冷却マット１００Ａを車椅子２に取り付けているが、オフィス用の椅子１や自動車のシートに取り付けて使用することもできる。
【００４２】
（第３実施形態）
次に、第３実施形態の冷却マット１００Ｂについて、図５、図６を参照しながら説明する。図５（ａ）は、第３実施形態の冷却マット１００の平面図、図５（ｂ）は側面図であり、凹部３０に送風部材としてのファンユニット５０を取り付けた状態を示す。図６は冷却マット１００Ｂの斜視図であり、凹部３０に保冷剤６０を収容した状態を示す。
【００４３】
図５、図６に示すように、第３実施形態に係る冷却マット１００Ｂは、メッシュシートＭを有する座面１０と、上枠２１、下枠２２’及び連結部２３を有する枠本体２０と、を備えて構成される。上記第１、第２実施形態では、下枠２２は凹設部２２ａを有する平面視凹形を呈しているが、第３実施形態では、下枠２２’は凹設部２２ａのない矩形を呈している。
【００４４】
そして、この下枠２２’と座面１０との間に、座面１０に向けて開口する開口部３１を有し、凹部３０（例えば、男性が使用する場合は陰嚢Ｓを配置する凹部３０）が設けられている。この構成により、第３実施形態においても、下肢内股、特に精巣の冷却効果に優れ、簡易な構成の冷却マット１００Ｂを提供できる。
【００４５】
さらに、第３実施形態では、凹部３０を、ファンユニット５０や保冷剤６０を収容する収容部としても機能させている。
【００４６】
図５に示す例では、凹部３０にファンユニット５０を収容している。このファンユニット５０は、プロペラファン５１とバッテリー５２とが一体に設けられたカセット式のファンユニットであり、凹部３０への取り付けや取り外しを、容易かつ自在に行える。本実施形態では、上枠２１の凹設部２１ａの基端に接続された２つの連結部２３の間にファンユニット５０の一部を挿入して固定しているが、枠本体２０に、ファンユニット５０を取り付けるための枠やベルト等、適宜の取付具を設けてもよい。
【００４７】
このように凹部３０にファンユニット５０を収容することで、凹部３０内に位置する陰嚢Ｓや、内股に送風することができ、これらの冷却効果をより向上させることができる。
【００４８】
なお、凹部３０に位置する陰嚢Ｓとの接触を回避するため、ファンユニット５０は、座面１０よりも１０ｍｍ以上下方に配置することが望ましい。本実施形態では、高さ５０ｍｍの枠本体２０に対して、高さ３０ｍｍのファンユニット５０を取り付けることで、座面１０からファンユニット５０までの距離を２０ｍｍ程度としている。
【００４９】
なお、送風部材がプロペラファン５１とバッテリー５２とが一体型のファンユニット５０に限定されるものではなく、この他にもシロッコファン等、公知の適宜の送風部材を使用できる。また、送風部材に電源コードやＵＳＢコードの接続端子を設け、コンセントやコンピュータ等から送風部材に電気を供給してもよい。また、冷却マット１００Ｂを自動車にも取り付け可能とする場合は、送風部材にシガーソケット用ＵＳＢ等の接続端子を設け、シガーソケットから送風部材に電気を供給してもよい。
【００５０】
また、第３実施形態では、送風部材は、凹部３０に対してファンユニット５０を着脱する構成であるが、この構成に限定されるものではなく、凹部３０に固定的に送風部材を取り付けてもよい。
【００５１】
また、図６に示す例では、凹部３０に保冷剤６０を収容している。これにより、保冷剤６０の冷気によって、凹部３０内に位置する陰嚢Ｓや内股を、より効果的に冷却することができる。
【００５２】
以上説明したように、第３実施形態では、凹部３０に送風部材としてのファンユニット５０や保冷剤６０を配置することで、凹部３０内に位置する陰嚢Ｓや、内股の冷却効果をより向上できる。その結果、男性不妊症の予防や改善効果、熱中症対策効果を向上できる。
【００５３】
また、他の異なる実施形態として、凹部３０内にメッシュシート等を弛ませた状態で張り渡してもよい。これにより、凹部３０内に陰嚢Ｓが配置されるのを妨げることなく、しかも陰嚢Ｓが必要以上にファンユニット５０側に下がるのを抑制できる。また、ファンユニット５０や保冷剤６０を他人の目から隠すこともできる。
【００５４】
以上、本発明の実施形態を図面により詳述してきたが、上記各実施形態は本発明の例示にしか過ぎないものであり、本発明は上記各実施形態の構成にのみ限定されるものではない。本発明の要旨を逸脱しない範囲の設計の変更等があっても、本発明に含まれることは勿論である。
【００５５】
例えば、上記各実施形態では、上枠２１のみにメッシュシートＭを貼って座面１０を設けている。これに対して、例えば、上枠２１と同じものを下枠２２として使用し、この下枠２２にもメッシュシートＭを貼って座面１０を設け、リバーシブルタイプの冷却マットとすることもできる。
【００５６】
また、太腿への当たりを柔らかくしたり、太腿Ｔ載置安定性を高めたりするため、上枠２１の太腿Ｔが当接する前方Ｆの部分を、凹状に湾曲させたり、除去したり、スポンジやウレタン等の弾性材で被覆したりしてもよい。
【００５７】
また、上記第２実施形態では、高さの異なる連結部２３ａ，２３ｂ，２３ｃを用いることで、座面１０を後方Ｒに向けて傾斜させている。これに対して、例えば、高強度で高弾性のカーボン樹脂等を用いて枠本体２０を形成し、上枠２１と下枠２２とを、前方Ｆのみ連結部２３ａで連結した構成とする。この構成であると、座面１０に着座したときに、臀部Ｂの重みによって連結部２３ａを支点として、上枠２１が下方に弾性変形し、座面１０の後方Ｆを下げることができる。
【００５８】
また、第１、第２実施形態に係る冷却マット１００，１００Ａにおいても、凹部３０にファンユニット５０又は市販のファン等の送風部材や、保冷剤６０を配置して使用することができ、陰嚢Ｓや内股等の冷却効果をより向上できる。
【００５９】
また、上記各実施形態に係る冷却マット１００，１００Ａ，１００Ｂは、直方体形を呈しているが、この形状に限定されるものではない。円柱形、半円柱形としてもよいし、三角柱形や五角形以上の角柱形であってもよい。また、雲、花、動物等を模したデザインであってもよく、椅子や床面等に載置して人が着座する、一般的なマット、座布団、クッション等に用いられる形状とすることができる。
【符号の説明】
【００６０】
１  椅子（被載置部）    ２  車椅子（被載置部）    １０  座面
２０  枠本体    ２１  上枠    ２１ａ  凹設部    ２２，２２’  下枠
２２ａ  凹設部    ２３，２３ａ，２３ｂ，２３ｃ  連結部
３０  凹部    ３１  開口部    ４０  固定ベルト（固定部材）
５０  ファンユニット（送風部材）    ６０  保冷剤
１００，１００Ａ，１００Ｂ  冷却マット
Ｂ  臀部    Ｍ  メッシュシート    Ｏ  人    Ｓ  陰嚢    Ｔ  太腿
【図１】
2020081077.tif 000003
【図２】
2020081077.tif 000004
【図３】
2020081077.tif 000005
【図４】
2020081077.tif 000006
【図５】
2020081077.tif 000007
【図６】
2020081077.tif 000008